(57)【要約】【課題】建物ユニット群間の水平方向の相対的な変位の発生を抑えて、一体に変形させることが可能なユニット建物を提供する。【解決手段】梁材と柱材とによって骨組みが形成された複数の建物ユニット２，・・・を連結させたユニット建物１００である。  そして、複数の建物ユニットが連結された第１ユニット群２０Ａと、第１ユニット群と間隔を置いて設けられた複数の建物ユニットが連結された第２ユニット群２０Ｂと、第１ユニット群と第２ユニット群との間に設けられた付帯構造部１０とを備えている。  この付帯構造部は、階層間の上階床１９２及び張出し屋根６に、第１ユニット群と第２ユニット群とを接続させる水平ブレース３１，３２及び接続梁４１，４２を有している。【選択図】図１
2018053554.tif 000002
【特許請求の範囲】
【請求項１】
梁材と柱材とによって骨組みが形成された複数の建物ユニットを連結させたユニット建物であって、
複数の建物ユニットが連結された第１ユニット群と、
前記第１ユニット群と間隔を置いて設けられた複数の建物ユニットが連結された第２ユニット群と、
前記第１ユニット群と前記第２ユニット群との間に設けられた付帯構造部とを備え、
前記付帯構造部は、階層間又は屋根部に前記第１ユニット群と前記第２ユニット群とを接続させる水平ブレース及び接続梁を有していることを特徴とするユニット建物。
【請求項２】
前記第１ユニット群及び第２ユニット群は、複層階構造であるとともに、
前記付帯構造部は、梁材と柱材とによって骨組みが形成された付帯ユニットと、最上部に配置される屋根部とを有していることを特徴とする請求項１に記載のユニット建物。
【請求項３】
前記第１ユニット群と前記付帯構造部との間及び前記第２ユニット群と前記付帯構造部との間に壁が設けられていることを特徴とする請求項１又は２に記載のユニット建物。
【請求項４】
前記水平ブレースは、複数が異なる高さに設けられていることを特徴とする請求項２に記載のユニット建物。
【請求項５】
前記複数の水平ブレースは、平面視で少なくとも一部が重なっていることを特徴とする請求項４に記載のユニット建物。
【請求項６】
前記付帯ユニットの上面に、前記水平ブレースが設けられていることを特徴とする請求項２、４又は５に記載のユニット建物。
【請求項７】
前記屋根部に、前記水平ブレース及び接続梁が設けられていることを特徴とする請求項２、４、５又は６に記載のユニット建物。
【請求項８】
前記屋根部に設けられた水平ブレースの端部は、前記第１ユニット群及び第２ユニット群の柱材の頭部に接合されていることを特徴とする請求項７に記載のユニット建物。
【発明の詳細な説明】
【技術分野】
【０００１】
本発明は、梁材と柱材とによって骨組みが形成された複数の建物ユニットを連結させたユニット建物に関するものである。
【背景技術】
【０００２】
特許文献１に開示されているように離し置きされた建物ユニット群間に、階段が設けられたユニット建物が知られている。これらのユニット建物においては、２つの建物ユニット群が間隔を置いて平行に設置された後に、直線階段の構築が現場で行われる。
【０００３】
一方、特許文献２に開示されているように、下層階と上層階とが繋がった吹き抜け室が設けられるユニット建物において、吹き抜けに隣接した非吹き抜け部を水平に架け渡されるブレースによって補強した構造が開示されている。
【先行技術文献】
【特許文献】
【０００４】
【特許文献１】特開２０１４−５５４３０号公報
【特許文献２】特開２０００−１９０９号公報
【発明の概要】
【発明が解決しようとする課題】
【０００５】
しかしながら、間隔を置いて設置された２つの建物ユニット群のそれぞれが階段ユニットに接続されると、個々の建物ユニット群が逆方向に変形した場合に変形量が倍になって、階段ユニットと建物ユニット群との間の防火ラインや化粧材などを損傷させるおそれがある。
【０００６】
そこで、本発明は、建物ユニット群間の水平方向の相対的な変位の発生を抑えて、一体に変形させることが可能なユニット建物を提供することを目的としている。
【課題を解決するための手段】
【０００７】
前記目的を達成するために、本発明のユニット建物は、梁材と柱材とによって骨組みが形成された複数の建物ユニットを連結させたユニット建物であって、複数の建物ユニットが連結された第１ユニット群と、前記第１ユニット群と間隔を置いて設けられた複数の建物ユニットが連結された第２ユニット群と、前記第１ユニット群と前記第２ユニット群との間に設けられた付帯構造部とを備え、前記付帯構造部は、階層間又は屋根部に前記第１ユニット群と前記第２ユニット群とを接続させる水平ブレース及び接続梁を有していることを特徴とする。
【０００８】
ここで、前記第１ユニット群及び第２ユニット群は、複層階構造であるとともに、前記付帯構造部は、梁材と柱材とによって骨組みが形成された付帯ユニットと、最上部に配置される屋根部とを有している構成とすることができる。そして、前記第１ユニット群と前記付帯構造部との間及び前記第２ユニット群と前記付帯構造部との間に壁が設けられている構成とすることができる。
【０００９】
また、前記水平ブレースは、複数が異なる高さに設けられていることが好ましい。さらに、前記複数の水平ブレースは、平面視で少なくとも一部が重なっている構成とすることができる。
【００１０】
例えば、前記付帯ユニットの上面に、前記水平ブレースを設けることができる。また、前記屋根部に、前記水平ブレース及び接続梁を設けることができる。さらに、前記屋根部に設けられた水平ブレースの端部は、前記第１ユニット群及び第２ユニット群の柱材の頭部に接合されている構成とすることができる。
【発明の効果】
【００１１】
このように構成された本発明のユニット建物は、複数の建物ユニットが連結された第１ユニット群と第２ユニット群との間に、付帯構造部が設けられた構成となる。そして、この付帯構造部は、階層間又は屋根部に第１ユニット群と第２ユニット群とを接続させる水平ブレースと接続梁とを有している。
【００１２】
このため、第１ユニット群と第２ユニット群との水平方向の相対的な変位の発生が水平ブレース及び接続梁による接続によって抑えられ、ユニット建物を一体に変形させることができる。
【００１３】
すなわち、接続梁に加えて水平ブレースによる接続を行うことで、第１ユニット群と第２ユニット群との間隔方向だけでなく、様々な水平方向の力に対して、ユニット建物を一体に変形させることができる。
【００１４】
また、第１ユニット群及び第２ユニット群が複層階構造である場合に、付帯構造部を少なくとも付帯ユニットと最上部に配置される屋根部とによって構成することで、簡単にユニット建物を構築することができる。そして、第１ユニット群及び第２ユニット群と付帯構造部との間に、外壁部などの壁を設けて防火ラインとして区画することができる。
【００１５】
さらに、水平ブレース及び接続梁を設ける箇所として、付帯ユニットの上面や屋根部を利用することができる。特に、付帯ユニットの上面に水平ブレースを設ける場合は、第１ユニット群及び第２ユニット群を設置する前に予め工場などで水平ブレースの設置作業を行うことができ、建築現場での施工性に優れている。
【００１６】
また、異なる高さに複数の水平ブレースを設けることによって、それぞれの高さおいて、水平方向の相対的な変位の発生を抑えることができる。さらに、複数の水平ブレースを平面視で少なくとも一部が重なる位置に配置することで、ユニット建物をバランスよく変形させることができる。
【図面の簡単な説明】
【００１７】
【図１】本実施の形態のユニット建物の全体の概略構成を模式的に示した説明図である。
【図２】第１及び第２ユニット群を構成する建物ユニットを説明する斜視図である。
【図３】階段ユニットの構成を説明する斜視図である。
【図４】ユニット建物の１階部分の概略構成を示した説明図である。
【図５Ａ】ユニット建物の１階天井の高さの構成を説明する平面図である。
【図５Ｂ】ユニット建物の屋根の高さの構成を説明する平面図である。
【図６】階段ユニットと建物ユニットとの隅角部同士を連結させる金具を説明する斜視図である。
【図７】階段ユニットと建物ユニットとの梁の側面間を連結させる金具を説明する斜視図である。
【図８】屋根の高さの水平ブレースの接合構造を説明する斜視図である。
【発明を実施するための形態】
【００１８】
以下、本発明の実施の形態について図面を参照して説明する。図１は、本実施の形態のユニット建物１００の全体の概略構成を模式的に示した説明図である。
【００１９】
まず、ユニット建物１００の構成から説明すると、このようなユニット建物１００は、工場で製作される複数の建物ユニット２，・・・及び付帯ユニットである階段ユニット１などを建築現場に搬送し、基礎（図示省略）の上に横方向に並べて１階部を構築するとともに、それらの（下階）建物ユニット２，・・・の上に別の（上階）建物ユニット２，・・・を積み上げることで上層階を構築していく。
【００２０】
一方、ユニット建物１００を構成する階段ユニット１及び建物ユニット２は、梁材と柱材とによって骨組みが形成される。まず、第１ユニット群２０Ａ及び第２ユニット群２０Ｂを構成する建物ユニット２について、図２を参照しながら説明する。
【００２１】
建物ユニット２は、四隅に配置される柱材としての柱２１，・・・と、その柱２１，・・・の下端間に差し渡される梁材としての床梁２２，２２Ａ，・・・と、柱２１，・・・の上端間に架け渡される梁材としての天井梁２３，２３Ａ，・・・とによってボックス形の骨組構造体に形成される。
【００２２】
ここで、柱２１は角形鋼管、床梁２２，２２Ａ及び天井梁２３，２３Ａは断面視略コ字形の溝形鋼材によって形成されている。また、柱２１と床梁２２（２２Ａ）及び天井梁２３（２３Ａ）は、接合枠材２４（２４Ａ）を介して溶接接合される。要するに建物ユニット２は、すべての隅角部が溶接接合されたラーメン構造体となっている。
【００２３】
そして、図１に示すように、複数の建物ユニット２，・・・が左右及び上下に連結されることによって第１ユニット群２０Ａが形成される。また、第１ユニット群２０Ａと間隔を置いて、複数の建物ユニット２，・・・が左右及び上下に連結されることによって第２ユニット群２０Ｂが形成される。
【００２４】
本実施の形態のユニット建物１００では、図５Ａ，５Ｂに示すように、平面視略長方形となる第１ユニット群２０Ａと第２ユニット群２０Ｂとは、略平行となるように間隔を置いて設けられる。そして、この第１ユニット群２０Ａと第２ユニット群２０Ｂとの間の平面視略長方形の空間に、平面視略長方形の付帯構造部１０が設けられる。
【００２５】
この付帯構造部１０には、図３に示すような階段ユニット１が設置される。この階段ユニット１は、四隅に配置される柱材としての柱１１，・・・と、その柱１１，・・・の下端間に差し渡される梁材としての床梁１２，１２Ａ，・・・と、柱１１，・・・の上端間に架け渡される梁材としての上床梁１３Ａ，１３，１３及び接続梁４１とによって骨組構造体が形成される。
【００２６】
ここで、柱１１は角形鋼管、床梁１２，１２Ａ、上床梁１３，１３Ａ及び接続梁４１は断面視略コ字形の溝形鋼材によって形成されている。また、柱１１と床梁１２（１２Ａ）及び上床梁１３（１３Ａ）は、接合枠材１４（１４Ａ）を介して溶接接合される。
【００２７】
階段ユニット１は、付帯ユニットであって、搬送時は、上床梁１３と柱１１の上端とが仮梁１３１（図６参照）によって接続されたボックス形の骨組構造体となっている。この仮梁１３１は、階段ユニット１を所定の位置に設置した後に撤去される。
【００２８】
また、階段ユニット１には、下階段部１９Ａ、踊り場１９１、上階段部１９Ｂ及び上階床１９２が設けられる。なお、図３では、上階床１９２の床板を剥がした状態を示している。一方、地上階となる床梁１２，１２，１２Ａ，１２Ａ間は、床板１７によって塞がれる。
【００２９】
また、階段ユニット１に設けられる階段部は、床板１７から踊り場１９１までの一方向に延びる下階段部１９Ａと、階段ユニット１の高さ方向の略中央に設けられる踊り場１９１と、踊り場１９１から上階床１９２までの下階段部１９Ａとは反対方向に延びる上階段部１９Ｂとによって主に構成される廻り階段である。
【００３０】
そして、階段ユニット１は、図４に示すように、隣接する第１ユニット群２０Ａと第２ユニット群２０Ｂとに連結されることによって、安定した状態になる付帯ユニットである。
【００３１】
また、第１ユニット群２０Ａ及び第２ユニット群２０Ｂの１階と連結された階段ユニット１の上方には、図１に示すように屋根部としての張出し屋根６が架け渡される。
【００３２】
すなわち平面視略長方形の張出し屋根６は、第１ユニット群２０Ａの２階上縁と第２ユニット群２０Ｂの２階上縁との間に架け渡される。そして、第１ユニット群２０Ａと第２ユニット群２０Ｂとの間の直方体状の空間は、張出し屋根６に覆われた吹き抜け空間となる。この吹き抜け空間を構成する全体を付帯構造部１０と呼ぶ。
【００３３】
付帯構造部１０を構成する階段ユニット１には、第１ユニット群２０Ａと第２ユニット群２０Ｂとの間隔方向と略直交する方向（第１ユニット群２０Ａと第２ユニット群２０Ｂとの間の吹き抜け空間の長手方向）の一方の端部に、エントランス壁１６が設けられる。
【００３４】
そして、このエントランス壁１６には開口部１５が設けられ、開口部１５はドア部１５１によって開閉可能に塞がれる。本実施の形態の構成では、開口部１５は下階段部１９Ａの昇降口と対面した位置に設けられる。
【００３５】
また、エントランス壁１６の上方は、上階床１９２に連続する庇部１９３によって覆われる。さらに、階段ユニット１は、エントランス壁１６と対向する反対側の端部も壁で塞ぐことができる。
【００３６】
そして、階段ユニット１は、第１ユニット群２０Ａとの間の側部、及び第２ユニット群２０Ｂとの間の側部も壁で塞ぐことができる。すなわち、図５Ａ，５Ｂ及び図８に示すように、第１ユニット群２０Ａ側には外壁部５１などの防火ライン５が設けられ、付帯構造部１０とは区画される。また、第２ユニット群２０Ｂ側にも外壁部５１などの防火ライン５が設けられ、付帯構造部１０とは区画される。
【００３７】
このため、第１ユニット群２０Ａと付帯構造部１０、第２ユニット群２０Ｂと付帯構造部１０が、地震などの水平力が作用した際にそれぞれ別々に変形すると、防火ライン５として境界に設けられた防火構造や化粧材を損傷させる力が作用することになる。
【００３８】
そこで、第１ユニット群２０Ａと付帯構造部１０及び第２ユニット群２０Ｂと付帯構造部１０が、一体に変形するようにして、これらの間に相対的な変位が発生しないようにする。
【００３９】
具体的には、図１に示すように、階段ユニット１の上階床１９２の下面側において、第１の水平ブレース３１によって第１ユニット群２０Ａと第２ユニット群２０Ｂとを接続させる。また、水平ブレース３１と同じ高さ位置の付帯構造部１０の縁部において、接続梁４１によって第１ユニット群２０Ａと第２ユニット群２０Ｂとを接続させる。
【００４０】
詳細には、図３に示すように、階段ユニット１の上床梁１３，１３間を水平ブレース３１で補強する。ここで、水平ブレース３１の端部３１１，・・・は、上床梁１３，１３の上面に接合される。
【００４１】
そして、上床梁１３，１３がそれぞれ、図４に示すように第１ユニット群２０Ａの建物ユニット２と第２ユニット群２０Ｂの建物ユニット２に接合される。すなわち、図５Ａに示すように、水平ブレース３１の端部３１１，・・・は、第１ユニット群２０Ａ及び第２ユニット群２０Ｂの建物ユニット２，２の天井梁２３Ａ，２３Ａに接続されたことになる。
【００４２】
また、図３に示すように、階段ユニット１の踊り場１９１側の柱１１，１１の上端間は、接続梁４１によって連結される。そして、柱１１，１１がそれぞれ、図４に示すように第１ユニット群２０Ａの建物ユニット２と第２ユニット群２０Ｂの建物ユニット２に接合される。
【００４３】
そこで、階段ユニット１と建物ユニット２との水平ブレース３１及び接続梁４１以外の箇所における連結構造について説明する。図６は、階段ユニット１と建物ユニット２との隅角部同士を連結させるＬ金具７について説明する斜視図である。このＬ金具７を使って、建物ユニット２の柱２１の側面と階段ユニット１の柱１１の側面の上端間を連結させる。
【００４４】
まず建物ユニット２の柱２１の側面には、側面視逆Ｌ字形の受け金具７３がビスや溶接などによって接合される。一方、階段ユニット１の柱１１の側面には、ばね座金７１１などが装着されたボルト７１によって、側面視Ｌ字形のＬ金具７が固定される。なお、図示していないが、柱１１の内側面には、ボルト７１をねじ込むためのナットが固着されている。
【００４５】
そして、Ｌ金具７と受け金具７３とは、ドリルねじ７２によって接合される。このようにして連結された柱１１，２１間では、鉛直方向の荷重はそのまま伝達されるが、柱１１，２１間が離隔又は近接する方向の水平荷重は低減されて伝達される。
【００４６】
要するに、第１ユニット群２０Ａと第２ユニット群２０Ｂとの間隔方向の変位が許容された連結となる。なお、柱１１，２１間のせん断方向（天井梁２３Ａの長手方向）の荷重も低減されて伝達される。
【００４７】
一方図７は、階段ユニット１と建物ユニット２との梁（２３Ａ，１３）の側面間を連結させるＺ金具８について説明する斜視図である。このＺ金具８を使って、建物ユニット２の天井梁２３Ａの側面と階段ユニット１の上床梁１３の側面とを連結させる。
【００４８】
Ｚ金具８は、平面視略Ｚ字形の張出し部８１と、張出し部８１を天井梁２３Ａの側面に接合させるための固定ボルト８２，８２とによって主に構成される。このようにして張出し部８１の第１片８１ａが天井梁２３Ａの側面に接合されたＺ金具８は、階段ユニット１側に張り出された第２片８１ｂを上床梁１３の側面に接触させる。
【００４９】
そして、階段ユニット１の内部側からバネ座金８３１及び平座金８３２が装着されたボルト８３を上床梁１３の穴に通し、Ｚ金具８と上床梁１３とを接合させる。なお、図示していないが、張出し部８１の第２片８１ｂの天井梁２３Ａに対峙する側面には、ボルト８３をねじ込むためのナットが固着されている。
【００５０】
このようにして連結された天井梁２３Ａと上床梁１３との間では、鉛直方向の荷重はそのまま伝達されるが、天井梁２３Ａと上床梁１３との間が離隔又は近接する方向の水平荷重は低減されて伝達される。
【００５１】
要するに、第１ユニット群２０Ａと第２ユニット群２０Ｂとの間隔方向の変位が許容された連結となる。なお、天井梁２３Ａ及び上床梁１３の長手方向の荷重も低減されて伝達される。
【００５２】
そして、図５Ａに示すように、第１ユニット群２０Ａの建物ユニット２と第２ユニット群２０Ｂの建物ユニット２との間に、水平ブレース３１と接続梁４１とが介在された状態になる。
【００５３】
すなわち接続梁４１によって、第１ユニット群２０Ａ及び第２ユニット群２０Ｂの建物ユニット２，２の柱２１，２１間は接続されたことになる。また、水平ブレース３１によって、第１ユニット群２０Ａ及び第２ユニット群２０Ｂの建物ユニット２，２の天井梁２３Ａ，２３Ａ間は接続されたことになる。
【００５４】
さらに、図１に示すように、張出し屋根６において、第２の水平ブレース３２によって第１ユニット群２０Ａと第２ユニット群２０Ｂとを連結させる。また、張出し屋根６には、付帯構造部１０の平面視長手方向に間隔を置いて略平行に複数の接続梁４２，・・・を配置することで、第１ユニット群２０Ａと第２ユニット群２０Ｂとを連結させる。
【００５５】
詳細には、図５Ｂに示すように、張出し屋根６の平面視長手方向の略中央に、水平ブレース３２を架け渡して補強する。ここで、水平ブレース３２の端部３２１，・・・は、第１ユニット群２０Ａ及び第２ユニット群２０Ｂの建物ユニット２，２の柱２１，２１の頭部に接合される。
【００５６】
詳細には、図８に示すように、柱２１の頭部は蓋板２１１で塞がれており、蓋板２１１の中央にはボルト穴２１２が穿孔されている。このボルト穴２１２の下面側には、図示していないが、吊りボルトなどのボルトがねじ込めるようにナットが固着されている。
【００５７】
一方、水平ブレース３２の端部３２１は、鋼板などによって長方形の板状に形成されており、中央には接合穴３２２が穿孔されている。そこで、上方からバネ座金２１４及び平座金２１５が装着されたボルト２１３を接合穴３２２に通し、蓋板２１１のボルト穴２１２にねじ込むことで、水平ブレース３２の端部３２１を柱２１に接合させる。
【００５８】
また、図５Ｂに示すように、第１ユニット群２０Ａと第２ユニット群２０Ｂの付帯構造部１０を挟んで対向する柱２１，２１の頭部の側面には、張出し屋根６の内部に配置された４本の接続梁４２，・・・の端部４２１，・・・がそれぞれ接合される。
【００５９】
次に、本実施の形態のユニット建物１００の作用について説明する。
【００６０】
このように構成された本実施の形態のユニット建物１００は、複数の建物ユニット２，・・・が連結された第１ユニット群２０Ａと第２ユニット群２０Ｂとの間に、付帯構造部１０が設けられた構成となる。
【００６１】
そして、この付帯構造部１０には、１階と２階の階層間となる階段ユニット１の上階床１９２及び張出し屋根６に、第１ユニット群２０Ａと第２ユニット群２０Ｂとを接続させる水平ブレース３１，３２と接続梁４１，４２とが設けられる。
【００６２】
このため、第１ユニット群２０Ａと第２ユニット群２０Ｂとの水平方向の相対的な変位の発生が水平ブレース３１，３２及び接続梁４１，４２による連結又は介在という接続によって抑えられて、ユニット建物１００を一体に変形させることができる。
【００６３】
すなわち、軸力材となる接続梁４１を第１ユニット群２０Ａと第２ユニット群２０Ｂとの間に介在させたり、軸力材となる接続梁４２によって第１ユニット群２０Ａと第２ユニット群２０Ｂとの間を連結させたりすれば、第１ユニット群２０Ａと第２ユニット群２０Ｂとが離隔したり近接したりする間隔方向（付帯構造部１０の幅方向（平面視短手方向））の力の伝達力が増して一体性を高めることができる。
【００６４】
一方、面的補強材である水平ブレース３１を第１ユニット群２０Ａと第２ユニット群２０Ｂとの間に介在させたり、面的補強材である水平ブレース３２によって第１ユニット群２０Ａと第２ユニット群２０Ｂとの間を連結させたりすれば、第１ユニット群２０Ａと第２ユニット群２０Ｂとの間隔方向に直交する方向（付帯構造部１０の長さ方向（平面視長手方向））の力の伝達力も増して一体性を高めることができる。
【００６５】
特に、第１ユニット群２０Ａと第２ユニット群２０Ｂを構成する建物ユニット２，２の柱２１，２１の頭部間を水平ブレース３２で直接、連結することで、第１ユニット群２０Ａと第２ユニット群２０Ｂとの間の力の伝達効率をより高めることができる。
【００６６】
この結果、地震などによって様々な方角から水平方向の力がユニット建物１００に作用しても、第１ユニット群２０Ａと第２ユニット群２０Ｂとを付帯構造部１０を介在させた状態で一体に変形させることができ、付帯構造部１０との境界に設けられた第１ユニット群２０Ａ及び第２ユニット群２０Ｂの防火ライン５，５や境界周辺に設けられた化粧材の損傷を抑えることができる。
【００６７】
また、第１ユニット群２０Ａ及び第２ユニット群２０Ｂが２階建てや３階建てなどの複層階構造である場合に、付帯構造部１０を階段ユニット１と最上部に配置される張出し屋根６とによって構成することで、簡単にユニット建物１００を構築することができる。
【００６８】
また、水平ブレース３１や接続梁４１を設ける箇所として、階段ユニット１の上面を構成する上階床１９２の下面側などが利用できる。この水平ブレース３１は、図３に示すように階段ユニット１の上床梁１３，１３間に架け渡される。また、接続梁４１も、階段ユニット１の柱１１，１１の上端間に架け渡される。すなわち、これらの水平ブレース３１及び接続梁４１は、工場において階段ユニット１を製作する際に設けておくことができる。
【００６９】
このため建築現場では、第１ユニット群２０Ａと第２ユニット群２０Ｂとを設置して、その間に階段ユニット１を設置し、Ｌ金具７及びＺ金具８などの連結金具で第１ユニット群２０Ａと第２ユニット群２０Ｂとにそれぞれ連結させればよいため、中間階におけるブレース作業を省略することができる。
【００７０】
一方、水平ブレース３２及び接続梁４２，・・・を設ける箇所として、張出し屋根６の内部などを利用することができる。この水平ブレース３２は、図８に示すように端部３２１を第１ユニット群２０Ａ又は第２ユニット群２０Ｂを構成する建物ユニット２の柱２１の頭部に接合させるため、建築現場で連結作業が行われる。また、接続梁４２も、端部４２１を第１ユニット群２０Ａ又は第２ユニット群２０Ｂを構成する建物ユニット２の柱２１の側面や天井梁２３Ａの側面に接合させるため、建築現場で連結作業が行われる。
【００７１】
このように水平ブレース３２と接続梁４２による連結作業は建築現場で行われることになるが、直接、第１ユニット群２０Ａと第２ユニット群２０Ｂとを連結させることができる。
【００７２】
さらに、ユニット建物１００の異なる高さ位置に複数の水平ブレース３１，３２を設けることによって、１階と２階の階層間や屋根などのそれぞれの高さにおいて、水平方向の相対的な変位の発生を抑えることができる。
【００７３】
すなわち、１階と２階の階層間となる高さ位置で水平ブレース３１及び接続梁４１を介した連結を行い、最上部となる張出し屋根６の高さ位置で水平ブレース３２及び接続梁４２による連結を行うだけで、ユニット建物１００全体として必要とされる水平剛性を確保することができる。
【００７４】
また、複数の水平ブレース３１，３２を平面視で少なくとも一部が重なる位置に配置することで、ユニット建物１００をバランスよく変形させることができる。すなわち、１階と２階の階層間に設けられる水平ブレース３１の平面位置と、張出し屋根６に設けられる水平ブレース３２の平面位置とがずれていると、水平力に対して強固に抵抗できる箇所が高さによって異なることになり、ユニット建物１００が変形する際に捩じれが生じるおそれがある。これに対して、例えばユニット建物１００の平面視略中央が異なる高さ位置で水平ブレース３１，３２によって補強されていれば、捩じれを生じさせることなく一体にユニット建物１００を変形させることができる。
【００７５】
以上、図面を参照して、本発明の実施の形態を詳述してきたが、具体的な構成は、この実施の形態に限らず、本発明の要旨を逸脱しない程度の設計的変更は、本発明に含まれる。
【００７６】
例えば、前記実施の形態では、それぞれ水平方向に３列に建物ユニット２，２，２を並べたユニット群（２０Ａ，２０Ｂ）を例に説明したが、これに限定されるものではなく、第１及び第２ユニット群の構成は任意に設定することができる。
【００７７】
また、前記実施の形態では、２階建てのユニット建物１００を例に説明したが、これに限定されるものではなく、平屋建て又は３階建て以上のユニット建物であってもよい。
【００７８】
さらに、前記実施の形態では、階段ユニット１を付帯ユニットとして説明したが、これに限定されるものではなく、単なる吹き抜け空間や共用スペースを形成する付帯ユニットなどであってもよい。
【００７９】
また、前記実施の形態では、平坦な陸屋根となる張出し屋根６を例に説明したが、これに限定されるものではなく、屋根部及びユニット建物の屋根は、傾斜屋根であってもよい。
【符号の説明】
【００８０】
１００          ユニット建物
１０            付帯構造部
１              階段ユニット（付帯ユニット）
１１            柱（柱材）
１２，１２Ａ    床梁（梁材）
１３，１３Ａ    上床梁（梁材）
２０Ａ          第１ユニット群
２０Ｂ          第２ユニット群
２              建物ユニット
２１            柱（柱材）
２２，２２Ａ    床梁（梁材）
２３，２３Ａ    天井梁（梁材）
３１，３２      水平ブレース
３１１，３２１  端部
４１，４２      接続梁
４１１，４２１  端部
６              張出し屋根（屋根部）
【図１】
2018053554.tif 000003
【図２】
2018053554.tif 000004
【図３】
2018053554.tif 000005
【図４】
2018053554.tif 000006
【図５Ａ】
2018053554.tif 000007
【図５Ｂ】
2018053554.tif 000008
【図６】
2018053554.tif 000009
【図７】
2018053554.tif 000010
【図８】
2018053554.tif 000011